(57)【特許請求の範囲】
【請求項１】
厨房家具のキャビネット構造において、背板の下端部及び底板の奥行を短くして背面下部に開口を設け、この開口を塞ぐ使用状態において断面Ｌ形をなす繋ぎ部材を背板及び底板の内面に取り付けて出隅、入隅を形成するようにしたものであって、
繋ぎ部材の幅寸法をキャビネットの内寸法より短くし、キャビネットの両側板の内側にＬ形をなし、繋ぎ部材の側端縁を載架掛止する段部を形成してなるＬ形の受け部材を取り付けるようにしたことを特徴とする厨房家具のキャビネット。
【請求項２】
繋ぎ部材を全体として硬質材から形成したことを特徴とする請求項１記載の厨房家具のキャビネット。
【請求項３】
背面下部の開口に繋ぎ部材を取り付けて入隅を形成する請求項２記載の厨房家具のキャビネット構造において、Ｌ形の繋ぎ部材の長手方向の両側端縁に背板及び底板へのねじ用孔を複数設けた取付辺を連設し、受け部材と側板をほぞ差しにて取り付けるようにしたもの。
【請求項４】
背面下部の開口に繋ぎ部材を取り付けて出隅を形成する請求項２記載の厨房家具のキャビネット構造において、繋ぎ部材の長手方向の端縁部に背板及び底板へのねじ用孔を複数設け、受け部材と側板をほぞ差しにて取り付けるようにしたもの。
【請求項５】
繋ぎ部材を平板とし、長手方向の両側端縁を背板及び底板への取付辺とし、これら取付辺の間に出隅入隅で繋ぐときの垂直辺及び水平辺を設け、これら各辺の間に軟質材からなる折曲帯を介在させ、その他を硬質材として一体に形成し、この繋ぎ部材を上下反転することで出隅、入隅を形成できるようにしたことを特徴とする請求項１記載の厨房家具のキャビネット構造。
【発明の詳細な説明】
【０００１】
【発明の属する技術分野】
この発明は、システムキッチンの構成要素としての流し、調理面、加熱器を備えた厨房家具、複合厨房家具、セクショナルキッチンとしての流し台、調理台、こんろ台などの台所に設置される厨房家具のキャビネット構造に係るもので、特に背面下部に特徴を有するものである。
【０００２】
【従来の技術】
特開昭５０−５１４７号公報、実開昭５８−６８１３５号公報などに開示されているように、従来の厨房家具のキャビネット構造では、底板、背板、両側板、前面の扉からなるキャビネットを必要に応じて台輪に載せて収納部を構成するものであった。
このような従来のキャビネットでは、底板と背板は直角に組み付けられるものが殆どであった。そのため、例えば壁面に沿って給排水管、ガス管及び電気配線をしたり、壁面に近い床より立ち上げられた給排水管、ガス管を避けるためには、キャビネットの背板を手前に組み付けた別構造のキャビネットを用意する必要があった。
あるいは、従来のキャビネットを現場にて背板下端部及び底板の奥行を短くなるように切除して別途部材あるいは切断した部材を元の部材と直角となるように繋げてキャビネットの背面下部にスペースを設けるように加工することも行われていた。
【０００３】
特開平１０−１２７３８１号公報では、上記のような手間を避けるため、キャビネット本体の奥側下隅部に開口を設け、この開口を塞ぐ断面視ほぼＬ型のコーナー部材を表裏反転自在に取り付けるようにした構造が提案されている。
【０００４】
【発明が解決しようとする課題】
予め別構造のキャビネットを製造するのは、二種類のキャビネットを用意することとなり、製造面でコスト高になっていた。
同じく、現場対応で加工する場合にも、加工の手間や部材を用意するなど作業コストが嵩み、作業品質にもばらつきが避けられなかった。
断面ほぼＬ型のコーナー部材を表裏反転自在に取り付けるものでは、実際の施工現場では取り付け取り外しが容易でなく取り扱いに問題が生じることが予想される。すなわち、双方の面が内面となる可能性があるので掃除のし易さなどから補強用のリブを設けることが難しく、部材の強度は成形肉厚によって保たせることになるので重量が嵩み、また、コーナー部材をキャビネットに設置する際の取り回しに必要なクリアランスを確保するとキャビネットの側板とコーナー部材との間に隙間が生じてしまい、これを避けるためコーナー部材を隙間が開かないような長さとするとキャビネット内での取り回しが困難となっていた。
【０００５】
【課題を解決するための手段】
この発明は、このような従来技術の課題を解決すべく開発したもので、背面下部に開口を設け、ここを別途側板に取り付けた受け部材に掛け渡すことにより使用状態においてＬ形をなす繋ぎ部材にて接合するようにしたキャビネット構造で、このとき、繋ぎ部材により出隅、すなわち本来の底板及び背板が接続されているように繋ぐか、或いは繋ぎ部材により入隅、すなわち、開口に臨む底板及び背板の側端縁から直角に連続するように繋ぎ、背面下部に配管スペースを設けるようにキャビネットの容積を狭くするか選択できるようにしたのである。
換言すれば、必要に応じてキャビネットの背面下部にスペースを設けたり、設けなかったりすることでキャビネットの共通化を図ることができたのである。
また、合理的な繋ぎ部材と受け部材を採用したキャビネット構造を提供することにより、台所の厨房設備に係る配管設備工事、電気工事などの現場工事に即応し、施工が容易となる厨房家具のキャビネット構造としたものである。
【０００６】
請求項１の発明は、厨房家具のキャビネット構造において、背板の下端部及び底板の奥行を短くして背面下部に開口を設け、この開口を塞ぐ使用状態において断面Ｌ形をなす繋ぎ部材を背板及び底板の内面に取り付けて出隅、入隅を形成するようにしたものであって、繋ぎ部材の幅寸法をキャビネットの内寸法より短くし、キャビネットの両側板の内側にＬ形をなし、繋ぎ部材の側端縁を載架掛止する段部を形成してなるＬ形の受け部材を取り付けるようにしたものである。
請求項２の発明は、繋ぎ部材を全体として硬質材から形成したことを特徴とするものである。
請求項３の発明は、背面下部の開口に繋ぎ部材を取り付けて入隅を形成する請求項２記載の厨房家具のキャビネット構造において、Ｌ形の繋ぎ部材の長手方向の両側端縁に背板及び底板へのねじ用孔を複数設けた取付辺を連設し、受け部材と側板をほぞ差しにて取り付けるようにしたものである。
請求項４の発明は、背面下部の開口に繋ぎ部材を取り付けて出隅を形成する請求項２記載の厨房家具のキャビネット構造において、繋ぎ部材の長手方向の端縁部に背板及び底板へのねじ用孔を複数設け、受け部材と側板をほぞ差しにて取り付けるようにしたものである。
【０００７】
請求項５記載の発明は、繋ぎ部材を平板とし、長手方向の両側端縁を背板及び底板への取付辺とし、これら取付辺の間に出隅入隅で繋ぐときの垂直辺及び水平辺を設け、これら各辺の間に軟質材からなる折曲帯を介在させ、その他を硬質材として一体に形成し、この繋ぎ部材を上下反転することで出隅、入隅を形成できるようにした請求項１記載の厨房家具のキャビネット構造である。
【０００８】
【発明の実施の形態】
以下図面に示すこの発明の実施の形態に即して説明する。
図１及び図２は、この発明に係る厨房家具としての流し台のキャビネット１であるが水槽、加熱器を備えた天板は省略している。
キャビネット１は、底板２、背板３、側板４、４及び前面の扉５により上面を開放した箱体として構成し、これらは台輪６上に載置されており、上面には図示しない天板を載せ流し台とするものである。なお、台輪６の両側は側板４、４の下部をもって代替しており、いわばキャビネット１と一体に構成されたものとしてある。勿論、台輪６を枠状として別体のものとしてもよい。
背板３の下端部及び底板２の奥行を短くしてキャビネット背面下部に開口７を設け（図３参照）この開口７を入隅となるように両側板４、４に取り付ける受け部材８、８を介して配管スペースＳを形成するようにプラスチックの硬質の成型品からなる繋ぎ部材１０で塞ぐことになる。なお、台輪６の背面板６１は底板２の背面側の開放端２１付近に配置して配管スペースを狭めないようにしてある。
【０００９】
受け部材８は、図３より図８に示すように、ほぼＬ形（使用状態では逆Ｌ形）をなし、一側には側板４、４に穿孔したほぞ穴に嵌り込むほぞ８１、８１、８１を突設し、他側には、繋ぎ部材１０のＬ形の側端縁が掛止され入り込む段部８２を形成し、上部の端縁は背板３の下端部の正面と底面に接する係止部８３を、下部の端縁には底板２の開放端上へ乗せる当接部８４を設けるようにしたものである。
繋ぎ部材１０は、その幅寸法はキャビネット１の内寸法、すなわち側板４、４の内法より短くし受け部材８、８の段部８２に嵌まり込む幅員とし、組み付けたときに面一となるような厚みを備えたものとしてある。また、基本的には断面Ｌ形（使用状態では逆Ｌ形）をなし、長手方向の両側端縁に、底板２及び背板３に添う直角に連続する取付辺１１、１１を設けて、この取付辺１１、１１に複数のねじ用孔１２を穿って、ねじ２０により底板２及び背板３に固定するようにしてある。
【００１０】
図９乃至図１６は出隅となるように開口７を塞ぐものである。
受け部材８は、図１１より図１４に示すように、ほぼＬ形をなし、一側に側板４、４に嵌め込むほぞ８１、８１、８１を突設し、他側には段部８２を形成し、上部の端縁には背板３の下端部の正面と底面に接する係止部８３及び、下部の端縁には、底板２の開放端の上部に乗せかつ木口に被せる当接部８４を設けるようにしてある。
繋ぎ部材１０は、その幅寸法はキャビネット１の内寸法、すなわち側板４、４の内法より短くし受け部材８、８の段部８２に嵌まり込む幅員とし、組み付けたときに面一となるような厚みを備えたものとしてある。また、断面Ｌ形をなし、長手方向の両側端縁部に複数のねじ用孔１２を穿って、ねじ２０により底板２及び背板３に固定するようにしてある。
【００１１】
図１７、図１８に示す繋ぎ部材１０は、硬質プラスチックと軟質プラスチックを一体に押出成形して得る常態では平板となるもので、その幅員はキャビネット１の側板４、４の内法間より短くし、受け部材８の段部８２に掛止し入り込む長さとしてある。
繋ぎ部材１０の長手方向の両側端部を背板３及び底板２の内面への取付辺１１、１１とし、これら取付辺１１、１１の間に背板３と底板２の隙間を出隅入隅で繋ぐときの垂直辺１３及び水平辺１４を設け、これらを硬質プラスチックからなる硬質材とし、これら硬質材からなる取付辺１１と垂直辺１３、水平辺１４との間及び垂直辺１３と水平辺１４の間を軟質材具体的には軟質プラスチックからなる折曲帯１５を介在させるようにしている。
繋ぎ部材１０の垂直辺１３及び水平辺１４の片面側の長手方向には多数の補強用の突条１６を一体に形成してある。これにより、繋ぎ部材１０全体の肉厚を押えても剛性を保ち、かつ、片面を平滑面として常にキャビネット１の内面に位置させることで清掃の便宜を図ることができる。
取付辺１１には適宜間隔にてねじ用孔１２、１２を穿つようにし、ねじ２０により底板２及び背板３にねじ込み、繋ぎ部材１０を固定することになる。
【００１２】
キャビネットの背面下部に配管スペースが不要な場合には、まず、図１１以下に示すＬ形をなす受け部材８を側板４、４にほぞ差しにて固定するようにする。次いで、繋ぎ部材１０の垂直辺１３と水平辺１４の間の折曲帯１５を、突条１６がキャビネット１の外側になるように直角に曲げ、全体として側面Ｌ状となるようにして、繋ぎ部材１０の両側端部を受け部材８に載せ架けるようにして取り付け、取付辺１１のねじ用孔１２よりねじ２０をキャビネット１の底板２及び背板３にねじ込んでキャビネット１の開口７を出隅とするのである。
【００１３】
キャビネット１の背面下部に配管スペースを設けるようにするには、出隅とするものと比較すれば上下逆転し、折曲帯１５、１５、１５にて直角に曲げて、図５以下の受け部材８を用いて取り付け、キャビネット１内奥に架台を設ける入隅の構成となる。
繋ぎ部材１０をねじ２０にて取り付けるものとしているが、接着剤にて貼り付けるようにしてもよい。
なお、図１９に示すようなほぼＬ形をなす硬質部材で、上下反転することにより一の部材で出隅、入隅を形成することができる繋ぎ部材１０と受け部材（図示は省略する）との組み合わせとしても良い。
【００１４】
またキャビネット１が長尺の場合で、一の繋ぎ部材１０では中央で撓むことで取り扱い及び取り付けに支障をきたす場合は、繋ぎ部材１０を複数に分割するとともに、別途背板３と底板２に固定する受け部材（図示せず）を配して支持するようにしてもよい。
詳細な図示は省略するが、出隅、入隅に繋ぎ部材１０を配置する場合に、この繋ぎ部材１０に、給水管、給湯管、排水管、ガス管、排気管などの配管用の孔を穿つようにし、キャビネット１を構成する底板２には孔加工をしないようにする。
図示しないが、電気配線のための孔を繋ぎ部材１０に設けたり、蓋付きの点検口を設けることもできる。
【００１５】
【発明の効果】
請求項１の発明では、厨房家具のキャビネット構造において、背面下部に開口を設け、この開口を塞ぐ使用状態において断面Ｌ形をなす繋ぎ部材を背板及び底板の内面に取り付けて出隅、入隅を形成するようにしたもので、繋ぎ部材の幅寸法をキャビネットの内寸法より短くし、キャビネットの両側板の内側にＬ形をなし、繋ぎ部材の側端縁を載架掛止する段部を形成してなるＬ形の受け部材を取り付けようにしたので、繋ぎ部材のキャビネット内への取り回し及び固定のための仮止めが容易となるので、施工が効率的で確実に行えるのである。
請求項２記載の発明では、繋ぎ部材を全体として硬質材から形成したので、組み付けに際してキャビネット内に入れ込むのに造作ないことになる。
請求項３記載の発明では、入隅を形成する請求項２記載の厨房家具のキャビネット構造において、Ｌ形の繋ぎ部材の長手方向の両側端縁に背板及び底板へのねじ用孔を複数設けた取付辺を連設し、かつ、受け部材と側板をほぞ差しにて取り付けるようにしたもので、受け部材の側板への取り付けがほぞ穴にほぞをあてがい木槌でたたく等の簡単な作業手順で行えることになる。
請求項４の発明では、出隅を形成する請求項２記載の厨房家具のキャビネット構造において、繋ぎ部材の長手方向の端縁部に背板及び底板へのねじ用孔を複数設け、受け部材と側板をほぞ差しにて取り付けるようにしたので、ほぞ差しの作業性の良さに加えて、繋ぎ部材が単純な形態とすることができるのである。
【００１６】
請求項５の発明では、キャビネットの背面側に開口を形成し、硬質材と軟質材を一体に構成したものを繋ぎ部材として塞ぐようにしてあるので、一の繋ぎ部材で上下反転させ、軟質材よりなる折曲帯で曲げ開口を出隅、入隅のいずれでも塞ぐことができるので、キャビネットの背面に配管スペースを備えるものと、備えないものを一種類のキャビネットとして製造することができ製品の点数を増やすことがないので、生産効率がアップし、施工現場で即応することもできることになる。
【図面の簡単な説明】
【図１】この発明に係る流し台の正面図である。
【図２】流し台の天板を外した状態の平面図である。
【図３】繋ぎ部材と受け部材の取り付け状態の側面図である。
【図４】繋ぎ部材と受け部材の組み付け状態を示す正面図である。
【図５】受け部材の正面図である。
【図６】受け部材の平面図である。
【図７】受け部材の側面図である。
【図８】図３のＡ−Ａ線端面図である。
【図９】別の実施の形態を示す流し台の断面図である。
【図１０】天板を外した状態の平面図である。
【図１１】受け部材の正面図である。
【図１２】受け部材の平面図である。
【図１３】受け部材の側面図である。
【図１４】図１１のＡ−Ａ線端面図である。
【図１５】繋ぎ部材の正面図である。
【図１６】繋ぎ部材の側面図である。
【図１７】別の繋ぎ部材を示す正面図である。
【図１８】図１７の断面図である。
【図１９】更に別の繋ぎ部材の実施形態を示す概略図である。
【符号の説明】
Ｓ  配管スペース
１  キャビネット
２  底板
３  背板
４  側板
５  扉
６  台輪
７  開口
８  受け部材
１０  繋ぎ部材
１１  取付辺
【図１】
0004105340.tif 000002
【図２】
0004105340.tif 000003
【図３】
0004105340.tif 000004
【図４】
0004105340.tif 000005
【図５】
0004105340.tif 000006
【図６】
0004105340.tif 000007
【図７】
0004105340.tif 000008
【図８】
0004105340.tif 000009
【図９】
0004105340.tif 000010
【図１０】
0004105340.tif 000011
【図１１】
0004105340.tif 000012
【図１２】
0004105340.tif 000013
【図１３】
0004105340.tif 000014
【図１４】
0004105340.tif 000015
【図１５】
0004105340.tif 000016
【図１６】
0004105340.tif 000017
【図１７】
0004105340.tif 000018
【図１８】
0004105340.tif 000019
【図１９】
0004105340.tif 000020